(57)【特許請求の範囲】
【請求項１】
紙幣が金種別に収納される複数の紙幣スタッカから、出金指示に応じた金額分の紙幣を繰り出し、出金口から放出する紙幣処理装置において、
前記複数の紙幣スタッカのいずれかに補充すべき紙幣が収納され、前記複数の紙幣スタッカへの紙幣補充のための各装着位置への装着が可能な補充カセットと、
前記補充カセットが前記各装着位置のうちのいずれかに装着されたことを検知する補充カセット検知手段と、
前記補充カセットに収納されている紙幣を繰り出す補充紙幣繰出手段と、
前記補充カセットから繰り出された紙幣を前記複数の紙幣スタッカのいずれかに収納するための紙幣の搬送を行う補充紙幣搬送手段と、
前記補充紙幣搬送手段による紙幣の搬送路上に配設され、搬送されてきた紙幣の金種を識別する補充紙幣識別手段と、
前記補充カセット検知手段により検知された前記装着位置に対応する前記紙幣スタッカへの補充処理を行う制御手段と、
を備え、
前記補充カセット検知手段は、検知した前記装着位置に応じて、前記紙幣スタッカへの補充処理を行う金種を決定し、
前記制御手段は、前記補充カセット検知手段により検知された前記装着位置に応じて決定された補充処理を行う金種と前記補充紙幣識別手段による識別結果とが一致したときに、前記紙幣スタッカへの補充紙幣枚数の計数を行うことを特徴とする紙幣処理装置。
【請求項２】
紙幣が金種別に収納される複数の紙幣スタッカから、出金指示に応じた金額分の紙幣を繰り出し、出金口から放出する紙幣処理装置において、
前記複数の紙幣スタッカのいずれかに補充すべき紙幣が収納され、前記複数の紙幣スタッカへの紙幣補充のための各装着位置への装着が可能な補充カセットと、
前記補充カセットが前記各装着位置のうちのいずれかに装着されたことを検知する補充カセット検知手段と、
前記補充カセットに収納されている紙幣を繰り出す補充紙幣繰出手段と、
前記補充カセットから繰り出された紙幣を前記複数の紙幣スタッカのいずれかに収納するための紙幣の搬送を行う補充紙幣搬送手段と、
前記補充紙幣搬送手段による紙幣の搬送路上に配設され、搬送されてきた紙幣の情報を検出する補充紙幣識別手段と、
前記補充カセット検知手段により検知された前記装着位置に対応する前記紙幣スタッカへの補充処理を行う制御手段と、
を備え、
前記補充カセット検知手段は、検知した前記装着位置に応じて、前記紙幣スタッカへの補充処理を行う金種を決定し、
前記制御手段は、前記補充紙幣識別手段からの情報に基づいて金種を識別し、前記補充カセット検知手段により検知された前記装着位置に応じて決定された補充処理を行う金種と前記補充紙幣識別手段からの情報に基づいて識別した金種とが一致したときに、前記紙幣スタッカへの補充紙幣枚数の計数を行うことを特徴とする紙幣処理装置。
【請求項３】
前記制御部は、一の紙幣について金種が正常に識別されず、識別された異常が紙幣補充処理の再試行により解消し得るものである場合には、前記一の紙幣が前記補充カセットに収納されるまで紙幣補充処理を逆行させた後、紙幣補充処理の再試行をさせるものであることを特徴とする請求項１又は２のいずれかに記載の紙幣処理装置。
【請求項４】
前記紙幣補充処理の再試行の回数は、所定回数に制限されていることを特徴とする請求項３に記載の紙幣処理装置。
【発明の詳細な説明】
【０００１】
【発明の属する技術分野】
本発明は、出金の指示に応じて紙幣の出金が可能な金種別スタッカを複数備えた紙幣処理装置に関する。
【０００２】
【従来の技術】
図１１は、従来の紙幣処理装置の構成を示した説明図である。
【０００３】
図１１に示した従来の紙幣処理装置１１は、一万円札が底面上に積み重ねられて収納される万円スタッカ１０１と、千円札が底面上に積み重ねられて収納される千円スタッカ１０２と、万円スタッカ１０１から一万円札を繰り出す万円繰出手段１０３と、千円スタッカ１０２から千円札を繰り出す千円繰出手段１０４と、繰り出された紙幣の種類を識別する識別部１０５と、識別部１０５により一万円札又は千円札であると識別された紙幣を、出金枚数が揃うまで一時的に保留する出金保留部１０６と、出金する紙幣を放出する紙幣出金口１０７と、識別部１０５により一万円札又は千円札であると識別されなかった紙幣を収納する出金リジェクト部１０８と、装置の精査を行う際に万円スタッカ１０１及び千円スタッカ１０２から繰り出され搬送されてきた紙幣、及び、紙幣出金口１０７から所定時間内に取り出されず、取り忘れ紙幣として搬送されてきた紙幣を回収する係員回収口兼取り忘れ口１０９と、万円スタッカ１０１に補充する紙幣を一時的に収納する万円補充部１１３と、千円スタッカ１０２に補充する紙幣を一時的に収納する千円補充部１１４とから構成されている。
【０００４】
従来の紙幣処理装置１１から出金を行うときは、出金指示に応じた金種及び枚数の紙幣を万円スタッカ１０１，千円スタッカ１０２から万円繰出手段１０３、千円繰出手段１０４により繰り出し、識別部１０５により識別してから出金保留部１０６に保留し、出金指示に応じた金種及び枚数の紙幣が揃うと、紙幣出金口１０７から紙幣を放出する。この出金に際しては、繰り出した紙幣枚数を万円スタッカ１０１，千円スタッカ１０２の在高からそれぞれ減算することにより、出金後の万円スタッカ１０１，千円スタッカ１０２の在高を管理する。
【０００５】
また、万円スタッカ１０１又は千円スタッカ１０２に紙幣を補充するときは、オペレータが装置背面の扉を開き、万円補充部１１３又は千円補充部１１４に紙幣を手で直接補充すると共に、補充した金種及び枚数についてのデータを紙幣処理装置１１に接続されている端末から入力することにより、補充した紙幣を補充部からスタッカへ収納し、補充した紙幣の金額を万円スタッカ１０１又は千円スタッカ１０２内の在高に加算して、補充後の万円スタッカ１０１及び千円スタッカ１０２の在高を管理する。
【０００６】
紙幣処理装置１１の精査を行うときは、万円スタッカ１０１，千円スタッカ１０２からそれぞれ紙幣を繰り出し、１００枚単位で１回以上の回数に分けて回収を行い、最終回の回収の際は１００枚未満でもそのまま回収する。そして、補充合計枚数から出金合計枚数と回収合計枚数とを差し引いた枚数が、出金リジェクト部１０８に収納されている各紙幣の枚数と一致するかどうかを確認することにより、精査を行う。
【０００７】
【発明が解決しようとする課題】
しかしながら、上述のような従来の紙幣処理装置１１においては、紙幣補充の際における人為的なミスにより、以下のような現金管理上の問題が発生する場合があった。
【０００８】
例えば、万円スタッカ１０１に誤って千円札を補充すると、出金処理の際に装置の動作上の異常が発生し、オペレータが装置背面の扉を開いて直接対処しなければならない。
【０００９】
また、補充紙幣は人手により計数していたので、万円スタッカ１０１に一万円札を１００枚補充すべきところを９９枚補充し、装置にデータ入力する際には補充枚数１００枚というデータを入力するということも起こり得る。このような場合、回収処理後の精査時に紙幣の枚数が一致せず、現金管理上の問題が発生する。
【００１０】
本発明は上記問題点に鑑みてなされたもので、その目的は、金種別スタッカへの紙幣の正確かつ容易な補充処理を可能とし、正確な現金管理及びその負担の軽減も可能とする構成の紙幣処理装置を提供することである。
【００１１】
【課題を解決するための手段】
本発明の第１の構成に係る紙幣処理装置によれば、紙幣が金種別に収納される複数の紙幣スタッカから、出金指示に応じた金額分の紙幣を繰り出し、出金口から放出する紙幣処理装置において、複数の紙幣スタッカのいずれかに補充すべき紙幣が収納され、複数の紙幣スタッカへの紙幣補充のための各装着位置への装着が可能な補充カセットと、補充カセットが各装着位置のうちのいずれかに装着されたことを検知する補充カセット検知手段と、補充カセットに収納されている紙幣を繰り出す補充紙幣繰出手段と、補充カセットから繰り出された紙幣を複数の紙幣スタッカのいずれかに収納するための紙幣の搬送を行う補充紙幣搬送手段と、補充紙幣搬送手段による紙幣の搬送路上に配設され、搬送されてきた紙幣の金種を識別する補充紙幣識別手段と、補充カセット検知手段により検知された装着位置に対応する紙幣スタッカへの補充処理を行う制御手段と、を備え、補充カセット検知手段は、検知した装着位置に応じて、紙幣スタッカへの補充処理を行う金種を決定し、制御手段は、補充カセット検知手段により検知された装着位置に応じて決定された補充処理を行う金種と補充紙幣識別手段による識別結果とが一致したときに、紙幣スタッカへの補充紙幣枚数の計数を行うことを特徴とし、
本発明の第２の構成に係る紙幣処理装置によれば、紙幣が金種別に収納される複数の紙幣スタッカから、出金指示に応じた金額分の紙幣を繰り出し、出金口から放出する紙幣処理装置において、複数の紙幣スタッカのいずれかに補充すべき紙幣が収納され、複数の紙幣スタッカへの紙幣補充のための各装着位置への装着が可能な補充カセットと、補充カセットが各装着位置のうちのいずれかに装着されたことを検知する補充カセット検知手段と、補充カセットに収納されている紙幣を繰り出す補充紙幣繰出手段と、補充カセットから繰り出された紙幣を複数の紙幣スタッカのいずれかに収納するための紙幣の搬送を行う補充紙幣搬送手段と、補充紙幣搬送手段による紙幣の搬送路上に配設され、搬送されてきた紙幣の情報を検出する補充紙幣識別手段と、補充カセット検知手段により検知された装着位置に対応する紙幣スタッカへの補充処理を行う制御手段と、を備え、補充カセット検知手段は、検知した装着位置に応じて、紙幣スタッカへの補充処理を行う金種を決定し、制御手段は、補充紙幣識別手段からの情報に基づいて金種を識別し、補充カセット検知手段により検知された装着位置に応じて決定された補充処理を行う金種と補充紙幣識別手段からの情報に基づいて識別した金種とが一致したときに、紙幣スタッカへの補充紙幣枚数の計数を行うことを特徴とし、
上記第１又は第２の構成により、金種別に設けられた紙幣スタッカに補充すべき紙幣の金種を誤ることがなく、補充枚数の計数も正確に行われ、正確な現金管理を容易に行うことができる。
【００１２】
制御部は、一の紙幣について金種が正常に識別されず、識別された異常が紙幣補充処理の再試行により解消し得るものである場合には、一の紙幣が補充カセットに収納されるまで紙幣補充処理を逆行させた後、紙幣補充処理の再試行をさせるものとすると、再試行により解消し得ない異常の場合にのみ人手による異常要因の除去作業を行うこととすることができ、人手による異常要因の除去作業が低減され、補充カセットから紙幣スタッカへの紙幣補充の際における異常紙幣を収納する補充処理用リジェクトボックスを設ける必要もない。
【００１３】
紙幣補充処理の再試行の回数は、所定回数に制限されているものとすると、紙幣補充処理の再試行の無駄な繰り返しを防止することができる。
【００１４】
【発明の実施の形態】
以下、本発明に係る紙幣処理装置の実施の一形態について、図面を参照しながら説明する。
【００１５】
図１，図２，図３は、本発明に係る紙幣処理装置の概略構成を示した説明図であり、図４は、本発明に係る紙幣処理装置の斜視図である。図４における符号１２０はオペレータが紙幣の補充及び回収操作を行うオペレータ操作面を示し、符号１３０は保守作業員が保守作業を行う保守面を示し、符号１０７は顧客が紙幣を受け取るために顧客操作面側に設けられた紙幣出金口を示している。図１及び図２は、図４における保守面１３０側からみた本発明に係る紙幣処理装置の構成を示している。但し、図２は、装置内の各構成部分の位置関係をより正確に表しているため、重なり合って図示されていない構成部分もあるのに対し、図１は、装置内の各構成部分の位置関係は必ずしも正確に表していないが、本発明に係る紙幣処理装置の概略構成を説明するために必要な各構成部分が示されている。また、図３は、図４における紙幣出金口１０７側からみた本発明に係る紙幣処理装置の構成を示しているが、図２と同様に、装置内の各構成部分の位置関係をより正確に表しているため、重なり合って図示されていない構成部分もある。
【００１６】
図１乃至図４に示した本発明に係る紙幣処理装置は、一万円札が底面部上に積み重ねられて収納される万円スタッカ１０１と、千円札が底面部上に積み重ねられて収納される千円スタッカ１０２と、万円スタッカ１０１から一万円札を繰り出す万円繰出手段１０３と、千円スタッカ１０２から千円札を繰り出す千円繰出手段１０４と、繰り出された紙幣の種類を識別する識別部１０５と、識別部１０５により一万円札又は千円札であると識別された紙幣を、出金枚数が揃うまで一時的に保留する出金保留部１０６と、出金する紙幣を放出する紙幣出金口１０７と、識別部１０５により一万円札又は千円札であると識別されなかった紙幣を収納する出金リジェクト部１０８と、装置の精査を行う際に万円スタッカ１０１及び千円スタッカ１０２から繰り出され搬送されてきた紙幣、及び、紙幣出金口１０７から所定時間内に取り出されず、取り忘れ紙幣として搬送されてきた紙幣を回収する係員回収口兼取り忘れ口１０９と、万円スタッカ１０１又は千円スタッカ１０２に紙幣を補充するために、一万円札又は千円札が底面部上に積み重ねられて収納され、補充部に装着されて万円スタッカ１０１への補充位置又は千円スタッカ１０２への補充位置に移動可能な補充カセット１１０と、補充カセット１１０から補充紙幣を繰り出す補充紙幣繰出手段１１１と、補充カセット１１０から繰り出された補充紙幣の状態及び種類を識別する補充紙幣識別部１１２と、補充カセット１１０から搬送されてきて万円スタッカ１０１に補充される補充紙幣を一時的に保留する万円一時保留部１１３と、補充カセット１１０から搬送されてきて千円スタッカ１０２に補充される補充紙幣を一時的に保留する千円一時保留部１１４と、補充カセット１１０が万円スタッカ１０１への補充位置に装着されたことを検知するセットスイッチＳＷ１と、補充カセット１１０が千円スタッカ１０２への補充位置に装着されたことを検知するセットスイッチＳＷ２と、補充カセット１１０から繰り出された補充紙幣を万円一時保留部１１３又は千円一時保留部１１４まで搬送する補充紙幣搬送手段である補充搬送路１２１とから構成されている。また、図１乃至図４には示されていないが、装置全体の動作を制御する制御部も備えられている。
【００１７】
図５は、本発明に係る紙幣処理装置の紙幣補充に関連する部分の機能的構成を示したブロック図である。
【００１８】
図５に機能的構成として示された本発明に係る紙幣処理装置の紙幣補充に関連する部分は、補充処理の動作を制御する制御部５１と、補充カセットから紙幣一時保留部までの搬送路における紙幣の有無を検知する搬送路紙幣検知手段５２と、補充カセット内の紙幣の有無を検知する紙幣有無検知手段５３と、補充カセットが所定の位置に配置されたことを検知する補充カセット検知手段５４と、補充カセットから紙幣を繰り出す繰出手段５５と、補充カセットから繰り出された紙幣を搬送する搬送手段５６と、補充カセットから繰り出された紙幣の種類及び状態を識別する補充紙幣識別部５７と、補充カセット底面部に設けられ、補充カセット底面部上に積み重ねられた紙幣を上昇及び下降させるステージ手段５８とから構成されており、搬送路紙幣検知手段５２，紙幣有無検知手段５３，補充カセット検知手段５４，繰出手段５５，搬送手段５６，補充紙幣識別部５７及びステージ手段５８はそれぞれ制御部５１に接続されている。搬送路紙幣検知手段５２，紙幣有無検知手段５３，補充カセット検知手段５４からの検知信号に基づき、制御部５１が、繰出手段５５，搬送手段５６，ステージ手段５８に制御信号を送信し、補充紙幣識別部５７との間で制御信号及び識別信号を送受信することにより、後述するように、紙幣補充動作が行われる。
【００１９】
図６乃至図９は、本発明に係る紙幣処理装置の紙幣補充に関連する部分のより具体的な構成を示した補充処理の動作についての説明図である。尚、図面及び説明を簡潔にするため、ここでは、一万円札の補充に関連する部分の構成のみを示しているが、千円札の補充に関連する部分の構成も同様の構成である。
【００２０】
図６乃至図９に示した本発明に係る紙幣処理装置の紙幣補充に関連する部分は、一万円札が底面部上に積み重ねられて収納される万円スタッカ１０１と、万円スタッカ１０１から一万円札を繰り出す万円繰出手段１０３と、万円スタッカ１０１底面部上に積み重ねられた紙幣を上下させる万円スタッカステージ１１６と、万円スタッカ１０１又は千円スタッカ１０２（図６乃至図９には図示せず。）に紙幣を補充するために、一万円札又は千円札が底面部上に積み重ねられて収納され、補充部に装着されて万円スタッカ１０１への補充位置又は千円スタッカ１０２への補充位置に移動可能な補充カセット１１０と、補充カセット１１０底面部に設けられ、補充カセット１１０底面部上に積み重ねられた紙幣を上下させる補充カセットステージ１１５と、補充カセット１１０から搬送されてきて万円スタッカ１０１に補充される補充紙幣を一時的に保留する万円一時保留部１１３と、万円一時保留部１１３と万円スタッカ１０１との間の仕切を形成することにより、万円一時保留部１１３に収納された補充紙幣を保持し、万円一時保留部１１３と万円スタッカ１０１との間の仕切を開放することにより、万円一時保留部１１３に収納された補充紙幣を万円スタッカ１０１に収納する補充紙幣保持板１１７と、補充カセット１１０から補充紙幣を繰り出す補充紙幣繰出手段１１１と、補充カセット１１０から繰り出された補充紙幣を万円一時保留部１１３まで搬送する補充紙幣搬送手段である補充搬送路１２１と、補充カセット１１０近傍に配設され、補充カセット１１０から繰り出された補充紙幣の有無を検知し、紙幣繰出を確認する第１の補充紙幣検知手段ＰＳ１ＬＲと、補充カセット１１０と万円スタッカ１０１との間の補充紙幣搬送路上に配設され、搬送されてきた補充紙幣の種類及び状態を識別する第２の補充紙幣検知手段ＰＳ２ＬＲと、万円スタッカ１０１近傍に配設され、補充カセット１１０から繰り出され搬送されてきた補充紙幣の有無を検知し、万円一時保留部１１３への紙幣の集積を確認する第３の補充紙幣検知手段ＰＳ３ＬＲと、補充カセット１１０内の補充紙幣の有無を検知する第４の補充紙幣検知手段ＰＳ４と、補充カセット１１０が万円スタッカ１０１への補充位置に装着されたことを検知するセットスイッチＳＷ１と、補充カセット１１０から繰り出され、万円スタッカ１０１に補充される補充紙幣を一時的に保留する万円一時保留部１１３とから構成されている。補充カセット１１０には紙幣１５１が、万円一時保留部１１３には紙幣１５２が、万円スタッカ１０１には紙幣１５３がそれぞれ収納された補充処理途中の状態を示すものとする。尚、補充処理の開始前は、万円一時保留部１１３に紙幣１５２は無く、空の状態である。第１の補充紙幣検知手段ＰＳ１ＬＲ，第２の補充紙幣検知手段ＰＳ２ＬＲ及び第３の補充紙幣検知手段ＰＳ３ＬＲは、紙幣搬送路の左右に設けられた２組の検知識別手段からそれぞれ構成されている。また、千円スタッカ１０２側にも以上と同様の各構成物が備えられている。但し、補充カセット１１０は、万円スタッカ１０１側及び千円スタッカ１０２側で共用されており、万円スタッカ１０１側の補充位置に装着されていることがセットスイッチＳＷ１により検出された場合には万円スタッカ１０１側の補充処理が行われ、千円スタッカ１０２側の補充位置に装着されていることがセットスイッチＳＷ２により検出された場合には千円スタッカ１０２側の補充処理が行われる。また、上述のように、補充カセット１１０は、万円スタッカ１０１側の補充位置と千円スタッカ１０２側の補充位置との間を、例えばレールを設けることにより、移動可能なものとすると便利である。図３を参照すると、補充カセット１１０は、万円一時保留部１１３又は千円一時保留部１１４の背面側に装着され、万円一時保留部１１３側と千円一時保留部１１４側との間を水平方向に移動可能なものとし、セットスイッチＳＷ１及びＳＷ２により補充位置を検出するとよい。
【００２１】
第１の補充紙幣検知手段ＰＳ１ＬＲ及び第３の補充紙幣検知手段ＰＳ３ＬＲは図５における搬送路紙幣検知手段５２に、第２の補充紙幣検知手段ＰＳ２ＬＲは図５における補充紙幣識別部５７に、第４の補充紙幣検知手段ＰＳ４は図５における紙幣有無検知手段５３に、セットスイッチＳＷ１は図５における補充カセット検知手段５４に、補充紙幣繰出手段１１１は図５における繰出手段５５に、ステージ１１５は図５におけるステージ手段５８に、それぞれ対応している。また、図５における搬送手段５５には補充搬送路１２１が対応し、補充カセット１１０から繰り出された補充紙幣を一時保留部１１３まで搬送する。また、図１における補充紙幣識別部１１２は、図５における補充紙幣識別部５７に対応している。
【００２２】
図１０は、本発明に係る紙幣処理装置の紙幣補充の際における動作手順を示したフローチャートである。図１乃至図９、特に、図６乃至図９を参照しながら、図１０のフローチャートに従って、本発明に係る紙幣処理装置の紙幣補充の際における動作について説明する。
【００２３】
最初に、補充カセット１１０底面部のステージ１１５上に補充紙幣１５１を積み重ねて収納し（ステップＳ１）、補充カセット１１０を補充部に装着すると、万円スタッカ１０１側のセットスイッチＳＷ１又は千円スタッカ１０２側のセットスイッチにより、補充カセット１１０の装着位置が検知される。即ち、万円スタッカ１０１側のセットスイッチＳＷ１が補充カセット１１０の装着を検知しているかどうか（ステップＳ２）、又は、千円スタッカ１０２側のセットスイッチが補充カセット１１０の装着を検知しているかどうか（ステップＳ３）が識別され、万円スタッカ１０１側のセットスイッチＳＷ１が補充カセット１１０の装着を検知している場合には一万円札の補充処理を行い、千円スタッカ１０２側のセットスイッチが補充カセット１１０の装着を検知している場合には千円札の補充動作を行う。ここでは、一万円札の補充処理を行うものとして動作の説明をするが、千円札の補充処理を行う場合の動作も以下と同様である。
【００２４】
万円スタッカ１０１側のセットスイッチＳＷ１が補充カセット１１０の装着を検知していることが識別されると、先ず、補充処理に異常が発生した場合に補充処理のリトライ（再試行）回数を計数し、カウントアップされるリトライカウンタのカウント値がクリア（リセット）され、０に戻される（ステップＳ４）。次に、補充カセット１１０内の補充紙幣１５１を繰り出すことができるように、補充カセット１１０底面部に設けられたステージ１１５を上昇させ（ステップＳ５）、ステージ１１５上に積み重ねられた補充紙幣１５１を上から順に補充紙幣繰出手段１１１により繰り出す（ステップＳ６）。図６乃至図９に示した例においては、補充処理途中の状態を示し、紙幣１が繰り出され、次に紙幣２が繰り出されたものとする。
【００２５】
補充カセット１１０から紙幣１が繰り出されたことが第１の補充紙幣検知手段ＰＳ１ＬＲにより確認された後、搬送路上を搬送されてきた紙幣１は第２の補充紙幣検知手段ＰＳ２ＬＲの信号に基づいて補充紙幣識別部５７で紙幣の種類が識別される。先ず、搬送されてきた紙幣１が、２枚以上の紙幣が重なったものでないかどうか、２枚以上の紙幣が連鎖して搬送されてきたものでないかどうか、１枚の紙幣が斜行して搬送されてきたものでないかどうか、又は、識別されたパターンが異常であるために紙幣の種類の識別が正常に行われないパターン異常でないかどうか等、紙幣１の種類がいずれかの金種であることが正常に認識できるかどうかについての識別が行われる。制御部５１は、補充紙幣識別部５７から識別結果を受け取り、その識別結果を判断する（ステップＳ７）。ステップＳ７で判断される紙幣１の種類の異常は、補充処理のリトライにより解消し得るものが対象となる。同時に、搬送されてきた紙幣１が、補充しようとしている種類の紙幣であるかどうか、ここでは一万円札であるか異金種であるか、また、一万円札であるか異金種であるか関わらず、切断された紙幣又は折れ曲がった紙幣である半券でないかどうかについて補充紙幣識別部５７からの識別結果に基づいて判断が行われる（ステップＳ８）。ステップＳ８で判断される紙幣１の種類は、紙幣１が正常な一万円札ではなく、補充処理のリトライにより解消し得ないものであるかどうかが対象となる。ステップＳ７及びステップＳ８の識別の順序は順不同であり、通常は同時に行われる。また、ステップＳ７及びステップＳ８における判断のための識別の結果は、図７及び図８における搬送路上の所定位置Ａを紙幣１が通過するまでに補充紙幣識別部５７から得られる。
【００２６】
ステップＳ７の判断の結果、紙幣１の種類が、２枚以上の紙幣が重なったもの、２枚以上の紙幣が連鎖して搬送されてきたもの、又は、１枚の紙幣が斜行して搬送されてきたもの、パターン異常により紙幣の状態及び種類の識別が正常に行われなかったもの等、補充処理のリトライにより解消し得る異常なものである場合には、先ず、補充紙幣の繰出及び搬送の停止処理を行う（ステップＳ１４）。搬送の停止処理は、異常なものであると識別された紙幣１が、図８における搬送路上の所定位置Ｂを通過するまでに行われるものとする。即ち、紙幣１が第３の補充紙幣検知手段ＰＳ３ＬＲの間を通過して万円一時保留部１１３に収納された紙幣として計数される前に、搬送の停止処理を行う。補充紙幣の繰出及び搬送の停止処理後、補充カセット１１０内のステージ１１５を所定位置まで下降させ（ステップＳ１５）、紙幣１と紙幣１に後続する搬送中の総ての紙幣とを逆送し、図９に示すように、各紙幣が最初に積み重ねられていたのと同じ順序で補充カセット１１０内に集積する（ステップＳ１６）。そして、リトライカウンタのカウント値を１だけ加算し（ステップＳ１７）、加算後のカウント値が３を超えていない場合は、補充処理のリトライを行う（ステップＳ１８）。即ち、ステップＳ５以降の動作を再度繰り返す。一方、加算後のカウント値が３を超えている場合は、補充処理のリトライを既に３回繰り返したにもかかわらず、紙幣１の異常が解消されない場合であるので、さらに補充処理のリトライは行わず、オペレータによる点検を要求する表示を図示しない表示手段で行い、点検の結果必要である場合にはオペレータによる紙幣抜取処理を行わせた後（ステップＳ１９）、ステップＳ４以降の動作を再度行う。あるいは、オペレータによる点検を要求する表示を行わず、装置をダウンさせるようにしてもよい。
【００２７】
ステップＳ８の判断の結果、紙幣１の種類が異金種又は半券である等、紙幣１が正常な一万円札ではなく、補充処理のリトライにより解消し得ないものである場合には、先ず、補充紙幣の繰出及び搬送の停止処理を行う（ステップＳ２０）。搬送の停止処理は、正常な一万円札以外のものであると識別された紙幣１が、図８における搬送路上の所定位置Ｂを通過するまでに行われるものとする。即ち、紙幣１が第３の補充紙幣検知手段ＰＳ３ＬＲの間を通過して万円一時保留部１１３に収納された紙幣として計数される前に、搬送の停止処理を行う。補充紙幣の繰出及び搬送の停止処理後、補充カセット１１０内のステージ１１５を所定位置まで下降させ（ステップＳ２１）、紙幣１と紙幣１に後続する搬送中の総ての紙幣とを逆送し、図９に示すように、各紙幣が最初に積み重ねられていたのと同じ順序で補充カセット１１０内に集積する（ステップＳ２２）。そして、補充処理のリトライは行わず、オペレータによる点検を要求する表示を図示しない表示手段で行い、点検の結果必要である場合にはオペレータによる紙幣抜取処理を行わせた後（ステップＳ２３）、ステップＳ４以降の動作を再度行う。あるいは、オペレータによる点検を要求する表示を行わず、装置をダウンさせるようにしてもよい。
【００２８】
一方、ステップＳ７及びステップＳ８の結果、紙幣１が正常な状態の一万円札であると判断された場合には、そのまま補充処理を続行し、紙幣１が第３の補充紙幣検知手段ＰＳ３ＬＲの間を通過すると、万円一時保留部１１３に収納された紙幣として計数し（ステップＳ９）、紙幣が正常に万円一時保留部１１３に収納されるごとにリトライカウンタのカウント値をクリアする（ステップＳ１０）。ステップＳ７からステップＳ１０までの動作は、第４の補充紙幣検知手段ＰＳ４により補充カセット１１０内の補充紙幣が検知されなくなるまで繰り返される（ステップＳ１１）。
【００２９】
第４の補充紙幣検知手段ＰＳ４により補充カセット１１０内の補充紙幣が検知されなくなると、万円一時保留部１１３に収納された紙幣の枚数を万円スタッカ１０１の在高に加算する現金管理処理を行い（ステップＳ１２）、万円一時保留部１１３に収納された紙幣を万円スタッカ１０１に収納して紙幣補充処理を終了する（ステップＳ１３）。即ち、万円一時保留部１１３と万円スタッカ１０１との間の仕切を形成することにより、万円一時保留部１１３に収納された補充紙幣を保持していた補充紙幣保持板１１７を開放し、万円一時保留部１１３に収納された補充紙幣を万円スタッカ１０１に収納して紙幣補充処理を終了する。尚、補充紙幣保持板１１７の開放時には、万円スタッカ１０１の底面部に設けられた万円スタッカステージ１１６を、万円スタッカ１０１内の紙幣１５３の枚数に応じた位置まで予め上昇させておき、補充紙幣保持板１１７の開放後、万円スタッカステージ１１６を元の位置まで下降させる。尚、上記実施の形態では、補充紙幣を識別する機能を補充紙幣識別部５７に設けているが、補充紙幣識別部５７は第２の補充紙幣検知手段ＰＳ２ＬＲを対応させ、第２の補充紙幣検知手段ＰＳ２ＬＲからの信号（情報）を制御部５１で受けて、制御部５１で識別するようにしてもよい。
【００３０】
【発明の効果】
以上説明したように、本発明に係る紙幣処理装置によれば、紙幣補充用の補充カセットを設け、補充カセットの装着位置によって補充紙幣の金種を自動的に決定し、かつ、補充紙幣がセットされた補充カセットを正常に検知したときに補充紙幣の計数を行うので、金種別に設けられた紙幣スタッカに補充すべき紙幣の金種を誤ることがなく、補充紙幣の計数も正確に行われ、正確な現金管理を容易に行うことができる。また、補充処理において補充紙幣の識別結果に異常が発生した場合であっても、再試行により解消し得る異常の場合には、異常が発生する前の状態まで補充処理を逆行させて補充処理の再試行を自動的に行い、再試行により解消し得ない異常の場合にのみ人手による異常要因の除去作業を行うこととしたので、人手による異常要因の除去作業が低減され、補充カセットから紙幣スタッカへの紙幣補充の際における異常紙幣を収納する補充処理用リジェクトボックスを設ける必要もない。
【図面の簡単な説明】
【図１】本発明に係る紙幣処理装置の概略構成を示した説明図。
【図２】本発明に係る紙幣処理装置の概略構成を示した説明図。
【図３】本発明に係る紙幣処理装置の概略構成を示した説明図。
【図４】本発明に係る紙幣処理装置の斜視図。
【図５】本発明に係る紙幣処理装置の紙幣補充に関連する部分の機能的構成を示したブロック図。
【図６】本発明に係る紙幣処理装置の紙幣補充に関連する部分のより具体的な構成を示した補充処理の動作についての説明図。
【図７】本発明に係る紙幣処理装置の紙幣補充に関連する部分のより具体的な構成を示した補充処理の動作についての説明図。
【図８】本発明に係る紙幣処理装置の紙幣補充に関連する部分のより具体的な構成を示した補充処理の動作についての説明図。
【図９】本発明に係る紙幣処理装置の紙幣補充に関連する部分のより具体的な構成を示した補充処理の動作についての説明図。
【図１０】本発明に係る紙幣処理装置の紙幣補充の際における動作手順を示したフローチャート。
【図１１】従来の紙幣処理装置の構成を示した説明図。
【符号の説明】
５１  制御部
５２  搬送路紙幣検知手段
５３  紙幣有無検知手段
５４  補充カセット検知手段
５５  繰出手段
５６  搬送手段
５７  補充紙幣識別部
５８  ステージ手段
１０１  万円スタッカ
１０２  千円スタッカ
１０３  万円繰出手段
１０４  千円繰出手段
１０５  識別部
１０６  出金保留部
１０７  紙幣出金口
１０８  出金リジェクト部
１０９  係員回収口兼取り忘れ口
１１０  補充カセット
１１１  補充紙幣繰出手段
１１２  補充紙幣識別部
１１３  万円一時保留部
１１４  千円一時保留部
１１５  補充カセットステージ
１１６  万円スタッカステージ
１１７  補充紙幣保持板
１２１  補充搬送路
ＰＳ１ＬＲ，ＰＳ２ＬＲ，ＰＳ３ＬＲ，ＰＳ４  補充紙幣検知手段
ＳＷ１，ＳＷ２  セットスイッチ
【図１】
0004121630.tif 000002
【図２】
0004121630.tif 000003
【図３】
0004121630.tif 000004
【図４】
0004121630.tif 000005
【図５】
0004121630.tif 000006
【図６】
0004121630.tif 000007
【図７】
0004121630.tif 000008
【図８】
0004121630.tif 000009
【図９】
0004121630.tif 000010
【図１０】
0004121630.tif 000011
【図１１】
0004121630.tif 000012